(57)【要約】【課題】色収差を良好に補正することができ、環境変化による色収差の変動が少なく製造が容易な、高い光学性能を有する光学系及びそれを有する光学機器を提供すること。【解決手段】物体側より順に負の屈折力を有する第１レンズ群、絞り、全体として正の屈折力を有する後群を有し、ｎｄをｄ線に対する硝材の屈折率、ｖｄ、θｇＦを各々νｄ＝（Ｎｄ−１）／（ＮＦ−ＮＣ）θｇＦ＝（Ｎｇ−ＮＦ）／（ＮＦ−ＮＣ）より計算される定数としたとき、前記第１レンズ群及び前記後群に、０．８３８＜θｇＦ−（３．０ｅ−４×ｖｄ＾２−１．８４ｅ−２×ｖｄ）＜０．８８４１５＜ｖｄ＜２７７＜ｎｄなる条件式を満足する特性を持つ硝材を用いること。【選択図】  図１
2014041222.tif 000002
【特許請求の範囲】
【請求項１】
物体側より順に負の屈折力を有する第１レンズ群、絞り、全体として正の屈折力を有する後群を有し、前記第１レンズ群及び前記後群に、以下の条件式を満足する特性を持つ硝材を有することを特徴としたズームレンズ。
０．８３８＜θｇＦ−（３．０ｅ−４×ｖｄ＾２−１．８４ｅ−２×ｖｄ）＜０．８８４
１５＜ｖｄ＜２７
１．７＜ｎｄ
ここで、ｎｄはｄ線に対する硝材の屈折率、
νｄ＝（Ｎｄ−１）／（ＮＦ−ＮＣ）
θｇＦ＝（Ｎｇ−ＮＦ）／（ＮＦ−ＮＣ）
なる定数である。
【請求項２】
前記硝材は負の第１レンズ群中の正レンズ及び後群中の正の屈折力を有するレンズ群中の負レンズに使用し、下記条件式を満足することを特徴とした請求項１に記載のズームレンズ。
−３．５＜ｆＦＰ／ｆ１＜−１．５
−２＜ｆＲＮ／ｆｂ＜−０．８
０．６＜（Ｄ１ｗ−Ｄ１ｔ）／ｆｔ＜０．８
２＜（Ｄｂ−１ｗ−Ｄｂ−１ｔ）／ｆｔ＜０．３５
ここで、ｆｔはテレ端での全系の焦点距離、ｆ１は第１群の焦点距離、ｆｂは後群中前述の特性を持った硝材を含むレンズ群の焦点距離、ｆＦＰは第１群中の前記特性を持った硝材からなるレンズの焦点距離、ｆＲＮは後群中の前記特性を持った硝材からなるレンズの焦点距離、Ｄ１ｗ、Ｄ１ｔは各々ワイド端、テレ端での第１レンズ群と第２レンズ群との空気間隔、Ｄｂ−１ｗ、Ｄｂ−１ｔは各々ワイド端、テレ端での後群中前述の特性を持った硝材を含むレンズ群と該レンズ群より物体側のレンズ群との空気間隔である。
【請求項３】
物体側より順に物体側に凸面を向けた負メニスカスレンズと１枚又は２枚の負レンズ及び正レンズよりなり全体として負の屈折力の第１レンズ群と全体として正の屈折力のレンズ群、絞りを有し負の屈折力のレンズ群、正レンズ及び負レンズの接合レンズと少なくとも１枚の正レンズよりなる全体として正の屈折力のレンズ群を有し、下記の条件式を満足することを特徴とした請求項１に記載のズームレンズ。
−１．０５＜ｆ１／√（ｆｗ×ｆｔ）＜−０．８５
０．７５＜ｆＢＦ／√（ｆｗ×ｆｔ）＜１．４５
−２．５＜ｆＳＰ／√（ｆｗ×ｆｔ）＜−０．９
０．９＜ｆｂ／√（ｆｗ×ｆｔ）＜２．１
０．２２＜ＢＦｗ／Ｌｗ＜０．３８
−０．９５＜ｆＧ１／ｆｔ＜−０．８
ここで、ｆｗはワイド端での全系の焦点距離、ｆＢＦは絞りより物体側に位置する正レンズ群のワイド端物体無限での合成焦点距離、ｆＳＰは絞りを有するレンズ群の焦点距離、ＢＦｗは広角端でのバックフォーカス、Ｌｗは広角端での最も物体側のレンズ面から最も像面側のレンズ面までの長さ、ｆＧ１は最も物体側のレンズの焦点距離である。
【請求項４】
固体撮像素子に像を形成することを特徴とする請求項１乃至請求項３の何れか１項に記載のズームレンズ。
【請求項５】
請求項１乃至請求項４の何れか１項に記載のズームレンズと、該ズームレンズによって形成された像を受光する固体撮像素子とを有していることを特徴とする撮像装置。
【発明の詳細な説明】
【技術分野】
【０００１】
本発明は、ズームレンズ及びそれを有した光学機器に関し、特に一眼レフカメラやビデオカメラ等に好適に用いられる広角域を変倍範囲に含む所謂標準ズームレンズに関するものである。
【背景技術】
【０００２】
一眼レフカメラ用交換レンズ、ビデオカメラ等の光学機器に用いられる光学系では、レンズ全長（物体側の第１レンズ面から像面までの長さ）が短く、光学系全体が小型で、高い光学性能を有することが求められている。
【０００３】
また、スキー場、山、砂漠など様々な環境下での使用が想定されるため、環境（温度、気圧、湿度等）の変化があっても光学性能の劣化が小さいことが求められている。
【０００４】
一般に光学系の小型化を図るほど該収差、例えば軸上色収差及び倍率色収差などの色収差が多く発生して光学性能が低下してくる。
【０００５】
例えばレンズ全長の短縮化を図ったテレフォトタイプの光学系では、レンズ全系の焦点距離を長くするほど軸上色収差、倍率色収差が大きく発生する。
【０００６】
レトロフォーカス型の光学系では、焦点距離を短く（広画角に）するほど、倍率色収差が大きく発生する。
【０００７】
ズームレンズでは、ズーミングによる収差変動が発生し、ズーム全域に渡って良好に収差補正することが困難となってくる。特に軸上色収差、倍率色収差を撮像に必要な全波長域で良好に補正する為には、異常分散性を持った光学材料が必要となってくる。
【０００８】
異常分散性の強い光学材料、例えば有機材料より成る光学素子を用いて色収差の発生を低減させた光学系が提案されている（特許文献１）。
【０００９】
特許文献１では強い異常分散性を持つ有機材料より成る光学素子に屈折力を与えた後、他の硝材より成る光学素子と色収差のバランスを取ることで全系の色収差を低減している。
【先行技術文献】
【特許文献】
【００１０】
【特許文献１】特開２００７−１６３９６４号公報
【発明の概要】
【発明が解決しようとする課題】
【００１１】
近年、一眼レフカメラにおいても従来の銀塩カメラに代わってデジタルカメラが主流となっている。また、撮像センサーの画素数が年々増加してており、インクジェットプリンターなどの普及で撮影画像を拡大鑑賞する機会が増えている。拡大鑑賞した場合、撮影レンズの収差による画像の劣化や色収差による境界部の色付きが顕著に表れるようになる。このような鑑賞環境の変化により、撮影レンズの更なる性能向上が求められている。
【００１２】
色収差を撮影に用いる全波長域に渡って良好に補正をするための方法として特許文献１が開示されている。参考文献１では樹脂等の有機材料に強い屈折力を持たせた光学素子を用いている。しかしながら一般的に樹脂等の有機材料はガラスに比べて温度変化に対する屈折率変化ｄｎ／ｄｔの値が大きく例えば１０倍から２００倍程度である。従って、設計的な温度変化対策が必要となる場合があり、また製造難易度が高いという問題がある。
【００１３】
本発明は、色収差を良好に補正することができ、環境変化による色収差の変動が少なく製造が容易な、高い光学性能を有する光学系及びそれを有する光学機器を提供することを目的とする。
【課題を解決するための手段】
【００１４】
上記目的を達成するために、物体側より順に負の屈折力を有する第１レンズ群、絞り、全体として正の屈折力を有する後群を有し、ｎｄをｄ線に対する硝材の屈折率、ｖｄ、θｇＦを各々
νｄ＝（Ｎｄ−１）／（ＮＦ−ＮＣ）
θｇＦ＝（Ｎｇ−ＮＦ）／（ＮＦ−ＮＣ）
より計算される定数としたとき、前記第１レンズ群及び前記後群に、
０．８３８＜θｇＦ−（３．０ｅ−４×ｖｄ＾２  −  １．８４ｅ−２×ｖｄ）＜０．８８４
１５＜ｖｄ＜２７
７＜ｎｄ
なる条件式を満足する特性を持つ硝材を有することを特徴としている。
【発明の効果】
【００１５】
本発明によれば少ないレンズ枚数で、良好に色収差を補正したコンパクトなズームレンズを提供することができる。
【図面の簡単な説明】
【００１６】
【図１】本発明の実施例１のズームレンズの広角端（短焦点距離端）において無限遠物体に合焦したときのレンズ断面図
【図２】実施例１のズームレンズの広角端（短焦点距離端）において無限遠物体に合焦させたときの縦収差図
【図３】実施例１のズームレンズの望遠端（長焦点距離端）において無限遠物体に合焦させたときの縦収差図
【図４】本発明の実施例２のズームレンズの広角端（短焦点距離端）において無限遠物体に合焦したときのレンズ断面図
【図５】実施例２のズームレンズの広角端（短焦点距離端）において無限遠物体に合焦させたときの縦収差図
【図６】実施例２のズームレンズの望遠端（長焦点距離端）において無限遠物体に合焦させたときの縦収差図
【発明を実施するための形態】
【００１７】
以下に、本発明の好ましい実施の形態を、添付の図面に基づいて詳細に説明する。
【００１８】
図１は本発明の実施例１のズームレンズの広角端（短焦点距離端）において無限遠物体に合焦したときのレンズ断面図である。
【００１９】
図２は実施例１のズームレンズの広角端（短焦点距離端）において無限遠物体に合焦させたときの縦収差図である。
【００２０】
図３は実施例１のズームレンズの望遠端（長焦点距離端）において無限遠物体に合焦させたときの縦収差図である。
【００２１】
図４は本発明の実施例２のズームレンズの広角端（短焦点距離端）において無限遠物体に合焦したときのレンズ断面図である。
【００２２】
図５は実施例２のズームレンズの広角端（短焦点距離端）において無限遠物体に合焦させたときの縦収差図である。
【００２３】
図６は実施例２のズームレンズの望遠端（長焦点距離端）において無限遠物体に合焦させたときの縦収差図である。
【００２４】
レンズ断面図において、左方が物体側（前方）で、右方が像側（後方）である。レンズ断面図において、ｉは物体側からレンズ群の順番を示し、Ｌｉは第ｉレンズ群である。
【００２５】
図１、図４のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。ここで、屈折力とは光学的パワーのことであり、焦点距離の逆数である。
【００２６】
ＳＰは開口絞りである。
【００２７】
ＳＳＰはレンズのＦ値の開口をもつフレアーカット絞りである。
【００２８】
ＩＰは像面であり、ビデオカメラやデジタルスチルカメラの撮影光学系として使用する際にはＣＣＤセンサやＣＭＯＳセンサなどの固体撮像素子の撮像面が、銀塩フィルム用カメラのときはフィルム面に相当する感光面が置かれる。
【００２９】
縦収差図中、球面収差、歪曲、色収差において、実線はｄ線、２点鎖線はｇ線であり、縦収差図中、非点収差において、鎖線はメリディオナル像面、実線はサジタル像面である。
【００３０】
ωは半画角、ＦｎｏはＦナンバーである。
【００３１】
尚、以下の各実施例において広角端と望遠端は各レンズ群が機構上光軸上を移動可能な範囲の両端に位置したときのズーム位置をいう。
【００３２】
矢印は広角端から望遠端へのズーミングにおける各レンズ群の移動軌跡を示している。
【００３３】
図１の実施例１では、広角端から望遠端へのズーミングに際して矢印の如く第１レンズ群Ｌ１は像側へ移動している。第２レンズ群Ｌ２は第１レンズ群Ｌ１との間隔を小にしつつ物体側へ移動している。第３レンズ群Ｌ３は第２レンズ群Ｌ２との間隔を大にしつつ物体側へ移動している。第４レンズ群Ｌ４は第３レンズ群Ｌ３との間隔を小にしつつ物体側へ移動している。第５レンズ群Ｌ５は第４レンズ群Ｌ４との間隔を大にしつつ物体側へ移動している。第６レンズ群Ｌ６は像面に対し固定である。絞りＳＰと副絞りＳＳＰは第３レンズ群Ｌ３と一体に移動している。
【００３４】
図４の実施例２では、広角端から望遠端へのズーミングに際して矢印の如く第１レンズ群Ｌ１は像側へ凸の軌跡で移動している。第２レンズ群Ｌ２は第１レンズ群Ｌ１との間隔を小にしつつ物体側へ移動している。第３レンズ群Ｌ３は物体無限では第２レンズ群Ｌ２と同じ軌跡で物体側へ移動している。第４レンズ群Ｌ４は第３レンズ群Ｌ３との間隔を大にしつつ物体側へ移動している。第５レンズ群Ｌ５は第４レンズ群Ｌ４との間隔を小にしつつ物体側へ移動している。絞りＳＰと副絞りＳＳＰは第４レンズ群Ｌ４と一体に移動している。
【００３５】
次に、各実施例の前述した特徴以外の特徴について説明する。
実施例１の光学系は、物体側より順に、負の屈折力を有する第１レンズ群Ｌ１、正の屈折力を有する第２レンズ群Ｌ２、負の屈折力を有する第３レンズ群Ｌ３、正の屈折力を有する第４レンズ群Ｌ４、負の屈折力を有する第５レンズ群Ｌ５、正の屈折力を有する第６レンズ群Ｌ６から構成されている。ズーミングに際して、前記レンズ群同士の間隔を変化させている。このように、光学系を多くのレンズ群で構成することで、レンズ径及び絞り径を小さくし、光学系の小型化を達成している。
また、ｎｄをｄ線に対する硝材の屈折率、ｖｄ、θｇＦを各々
νｄ＝（Ｎｄ−１）／（ＮＦ−ＮＣ）
θｇＦ＝（Ｎｇ−ＮＦ）／（ＮＦ−ＮＣ）
より計算される定数としたとき、前記第１レンズ群Ｌ１中の正レンズ及び第４レンズ群Ｌ４中の負レンズに、
０．８３８＜θｇＦ−（３．０ｅ−４×ｖｄ＾２−１．８４ｅ−２×ｖｄ）＜０．８８４・・・（１）
１５＜ｖｄ＜２７・・・（２）
７＜ｎｄ・・・（３）
なる条件式を満足する特性を持つ硝材を有している。
【００３６】
条件式（１）は硝材の異常分散性を規定する条件式である。条件式（１）の下限値を超えると、より低θ材であることを意味し、このような特性をガラス材で達成することが難しい。条件式（１）の上限値を超えると異常分散性が小さくなることを意味し、撮像に使われる全波長域に渡って良好に倍率色収差を補正することが困難となる。
【００３７】
条件式（２）は硝材のアッベ数を規定するものである。条件式（２）の下限値を超えて高分散になると他のレンズの硝材との組み合わせで良好に色収差の補正を行うことが困難となる。条件式（２）の上限値を超えて低分散となると他のレンズの硝材との組み合わせで良好に色収差の補正を行うことが困難となる。
【００３８】
条件式（３）は硝材の屈折率を規定するものである。条件式（３）の下限値を超えて屈折率が低くなると、レンズに必要な屈折力を与えるために、レンズ面の曲率を大きくする必要が生じ、諸収差が大きく発生してくる。
【００３９】
また、実施例１では、負の第１レンズ群中、最も像側の正レンズに条件式（１）〜（３）を満足する硝材を用いている。また、正の屈折力を有する第４レンズ群Ｌ４中最も物体側の負レンズに条件式（１）〜（３）を満足する硝材を用いている。さらに下記条件式を満足させている。
−３．５＜ｆＦＰ／ｆ１＜−１．５・・・（４）
−２＜ｆＲＮ／ｆｂ＜−０．８・・・（５）
０．６＜（Ｄ１ｗ−Ｄ１ｔ）／ｆｔ＜０．８・・・（６）
２＜（Ｄｂ−１ｗ−Ｄｂ−１ｔ）／ｆｔ＜０．３５・・・（７）
ここで、ｆｔはテレ端での全系の焦点距離、ｆ１は第１群の焦点距離である。
【００４０】
ｆｂは後群中前述の特性を持った硝材を含むレンズ群すなわち第４群の焦点距離である。
【００４１】
ｆＦＰは第１群中の前記特性を持った硝材からなるレンズの焦点距離、すなわち第１群中最も像側の凸レンズの焦点距離である。
【００４２】
ｆＲＮは後群中の前記特性を持った硝材からなるレンズの焦点距離、すなわち、第４群中最も物体側の負レンズの焦点距離である。
【００４３】
Ｄ１ｗ、Ｄ１ｔは各々ワイド端、テレ端での第１群と第２群との空気間隔である。
【００４４】
Ｄｂ−１ｗ、Ｄｂ−１ｔは各々ワイド端、テレ端での後群中前述の特性を持った硝材を含むレンズ群と該レンズ群より物体側のレンズ群との空気間隔、すなわち、第３群と第４群との空気間隔である。
【００４５】
条件式（４）は第１群の焦点距離に対する、条件式（１）〜（３）の特性を有する硝材を用いたレンズの焦点距離を規定するものである。下限値を超えて該レンズの正の屈折力が弱くなると倍率色収差の補正効果が小さくなるとともに第１群で発生する諸収差をバランス良く補正することが困難となる。上限値を超えて該レンズの正の屈折力が強くなると倍率色収差の補正効果は大きくなるが、第１群で発生する諸収差をバランス良く補正することが困難となる。
【００４６】
条件式（５）は第４群の焦点距離に対する、条件式（１）〜（３）の特性を有する硝材を用いたレンズの焦点距離を規定するものである。下限値を超えて該レンズの負の屈折力が弱くなると倍率色収差の補正効果が小さくなるとともに第４群で発生する諸収差をバランス良く補正することが困難となる。上限値を超えて該レンズの負の屈折力が強くなると倍率色収差の補正効果は大きくなるが、第４群で発生する諸収差をバランス良く補正することが困難となる。
【００４７】
条件式（６）は望遠端での全系の焦点距離に対し、広角端と望遠端での第１群と第２群の空気間隔の差を規定するものである。条件式（６）の下限値を超えることは、広角端で第１群と第２群が接近することを意味し、第１群の条件式（１）〜（３）の特性を有する硝材を用いたレンズによる倍率色収差補正効果が小さくなる。条件式（６）の上限値を超えることは、広角端で第１群と第２群が離れることを意味し、第１群のレンズ外径が増大する。
【００４８】
条件式（７）は望遠端での全系の焦点距離に対し、広角端と望遠端での第３群と第４群の空気間隔の差を規定するものである。条件式（７）の下限値を超えることは、広角端で第１群と第２群が接近することを意味し、第４群の条件式（１）〜（３）の特性を有する硝材を用いたレンズによる倍率色収差補正効果が小さくなる。条件式（７）の上限値を超えることは、広角端で第３群と第４群が離れることを意味し、第４群のレンズ外径が増大する。
【００４９】
さらに実施例１では、物体側より順に物体側に凸面を向けた負メニスカスレンズと１枚の負レンズ及び正レンズよりなり全体として負の屈折力の第１レンズ群を有すること。
【００５０】
全体として正の屈折力のレンズ群、絞りを有し負の屈折力のレンズ群を有すること。
【００５１】
正レンズ及び負レンズの接合レンズと少なくとも１枚の正レンズよりなる全体として正の屈折力のレンズ群を有する構成とし、下記の条件式を満足している。
−１．０５＜ｆ１／√（ｆｗ×ｆｔ）＜−０．８５・・・（８）
０．７５＜ｆＢＦ／√（ｆｗ×ｆｔ）＜１．４５・・・（９）
−２．５＜ｆＳＰ／√（ｆｗ×ｆｔ）＜−０．９・・・（１０）
０．９＜ｆｂ／√（ｆｗ×ｆｔ）＜２．１・・・（１１）
０．２２＜ＢＦｗ／Ｌｗ＜０．３８・・・（１２）
−０．９５＜ｆＧ１／ｆｔ＜−０．８・・・（１３）
ここで、ｆｗはワイド端での全系の焦点距離である。ｆＢＦは絞りより物体側に位置する正レンズ群のワイド端物体無限での合成焦点距離である。ｆＳＰは絞りを有するレンズ群の焦点距離である。ＢＦｗは広角端でのバックフォーカス、Ｌｗは広角端での最も物体側のレンズ面から最も像面側のレンズ面までの長さである。ｆＧ１は最も物体側のレンズの焦点距離である。
【００５２】
条件式（８）は、広角端及び望遠端での全系の焦点距離の相乗平均に対する第１群の焦点距離を規定するものである。下限値を超えて第１群の負の屈折力が弱くなるとレンズ系が大型化する。上限値を超えて第１群の負の屈折力が強くなるとレンズ系の小型化には有利だが、第１群で発生する諸収差が増大しこれを他のレンズ群でバランス良く補正することが困難となる。
【００５３】
条件式（９）は、広角端及び望遠端での全系の焦点距離の相乗平均に対する第２群の焦点距離を規定するものである。下限値を超えて第２群の正の屈折力が強くなるとレンズ系の小型化には有利だが、第２群で発生する諸収差が増大しこれを他のレンズ群でバランス良く補正することが困難となる。上限値を超えて第２群の正の屈折力が弱くなるとレンズ系が大型化する。
【００５４】
条件式（１０）は、広角端及び望遠端での全系の焦点距離の相乗平均に対する絞りを有する第３群の焦点距離を規定するものである。下限値を超えて第３群の負の屈折力が弱くなるとレンズ系が大型化する。上限値を超えて第３群の負の屈折力が強くなると第３群で発生する諸収差が増大しこれを他のレンズ群でバランス良く補正することが困難となる。
【００５５】
条件式（１１）は、広角端及び望遠端での全系の焦点距離の相乗平均に対する第４群の焦点距離を規定するものである。下限値を超えて第４群の正の屈折力が強くなると第４群で発生する諸収差が増大しこれを他のレンズ群でバランス良く補正することが困難となる。上限値を超えて第４群の正の屈折力が弱くなるとレンズ系が大型化する。
【００５６】
条件式（１２）は、広角端での最も物体側のレンズ面から最も像側のレンズ面までの長さに対する広角端でのバックフォーカスを規定するものである。下限値を超えると必要なバックフォーカスを満足できなくなり、上限値を超えるとレンズ系が大型化する。
【００５７】
条件式（１３）は、望遠端での全系の焦点距離に対する最も物体側のレンズの焦点距離を規定するものである。下限値を超えて該レンズの負の屈折力が弱くなると、必要なバックフォーカスを確保することが困難になるとともに第１群のレンズ外径が増大する。上限値を超えて該レンズの負の屈折力が強くなると第１群で発生する諸収差が大きくなり、これを他のレンズ群でバランス良く補正することが困難となる。
【００５８】
実施例１では、無限物体から至近物体へのフォーカシングを第５群を像側へ移動させて行っている。これにより、ズームレンズで一般的な第１群でのフォーカシングに比べ迅速なオートフォーカスを可能とし、且つ光学系の小型化を達成している。
【００５９】
次に、実施例２の光学系は、物体側より順に、負の屈折力を有する第１レンズ群Ｌ１、正の屈折力を有する第２レンズ群Ｌ２、正の屈折力を有する第３レンズ群Ｌ３、負の屈折力を有する第４レンズ群Ｌ４、正の屈折力を有する第５レンズ群Ｌ５から構成されている。ズーミングに際して、前記レンズ群同士の間隔を変化させている。このように、光学系を多くのレンズ群で構成することで、レンズ径及び絞り径を小さくし、光学系の小型化を達成している。また実施例２の光学系は、物体側より順に非球面を有し物体側に凸面を向けた負メニスカスレンズと２枚の負レンズ及び正レンズよりなり全体として負の屈折力の第１レンズ群を有している。また、絞りより物体側に全体として正の屈折力を有する２つの正レンズ群よりなる部分系を有しその像側に絞りを配置した負の屈折力のレンズ群を有している。さらに、正レンズと負レンズの接合レンズ、負レンズと正レンズの接合レンズ、正レンズよりなる第５群より構成されている。第１群の最も像側に配置された正レンズ及び第５群の最も物体側に配置された接合レンズ中の負レンズに条件式（１）〜（３）を満足する硝材を用いている。実施例２の光学系も条件式（１）〜（１３）を満足させることで、コンパクトで良好な性能の光学系となっている。
【００６０】
実施例２では、無限物体から至近物体へのフォーカシングを第２群を像側へ移動させて行っている。これにより、ズームレンズで一般的な第１群でのフォーカシングに比べ迅速なオートフォーカスを可能とし、且つ光学系の小型化を達成している。
【００６１】
以上のように各実施例によれば、色収差を良好に補正することができ、環境変化による色収差の変動が少なく製造が容易な、高い光学性能を有する光学系及びそれを有する光学系を達成することができる。
【００６２】
［実施例］
以下に、実施例１、２に各々対応する数値実施例１、２を示す。各数値実施例において、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれｄ線を基準とした屈折率、アッベ数を示す。ｆは焦点距離、ＦｎｏはＦナンバーである。
（非球面データ）には、非球面を次式で表した場合の非球面係数を示す。
【００６３】
【数１】
2014041222.tif 000003
但し、
ｘ：光軸方向の基準面からの変位量
ｈ：光軸に対して垂直な方向の高さ
Ｒ：ベースとなる２次曲面の半径
ｋ：円錐定数
Ｃｎ：ｎ次の非球面係数
なお、「Ｅ−Ｚ」の表示は「１０−Ｚ」を意味する。
【００６４】
又前述の各条件式と数値実施例における諸数値との関係を表１に示す。
【００６５】
[数値実施例１]
単位 mm
面データ
面番号       r        d      nd         vd       
1*       132.285    2.40   1.77250    49.6       
2         34.010   12.02                         
3       -164.261    2.30   1.77250    49.6       
4         61.319    0.17
5         60.454    4.97
6        153.708  (可変)                         
7       2038.158    1.80   1.80518    25.4       
8         52.562    6.31   1.77250    49.6       
9       -120.819    0.15                         
10         94.247    3.75   1.83481    42.7       
11       -735.401    0.15                         
12         44.815    5.26   1.69680    55.5       
13       2017.457  (可変)                         
14          ∞       2.20                         
15       -118.448    1.25   1.88300    40.8       
16         44.969    2.45                         
17       -123.350    1.35   1.72000    50.2       
18         33.452    4.84   1.80518    25.4       
19       -122.441    0.70                         
20(絞り)    ∞     (可変)                         
21        100.783    1.30                         
22         24.825    6.70   1.49700    81.5       
23        -57.671    0.10                         
24         30.541    5.21   1.52542    64.5       
25        -95.184  (可変)                         
26       3554.746    2.90   1.84666    23.8       
27        -48.578    0.11                         
28        -54.737    1.99   1.83400    37.2       
29         26.616  (可変)                         
30         51.549    7.60   1.58313    59.4       
31*      -129.121                          
像面        ∞   
非球面データ
第1面
K = 0.0  A 4= 1.19505e-006  A 6= 4.93803e-010  A 8=-1.21623e-012  A10= 1.13356e-015  A12=-3.85068e-019  
第31面
K = 0.0  A 4= 2.65122e-007  A 6=-9.50226e-009  A 8= 6.16123e-011  A10=-1.95942e-013  A12= 2.35213e-016  
各種データ
ズーム比      2.74 
広角     中間     望遠
焦点距離      24.90    35.13    68.14  
Fナンバー      2.92     2.92     2.91  
画角          40.98    31.63    17.62  
像高          21.64    21.64    21.64  
レンズ全長   199.13    183.51  166.55
BF            38.47    38.47   38.47
d 6           55.36    31.61     3.78  
d13            2.90     6.51    20.41  
d20           19.24    15.64     1.73  
d25            1.19     3.58    10.91  
d29            3.99     9.73    13.28  
ズームレンズ群データ
群      焦点距離  レンズ構成長  
1        -36.22        21.86
2         32.42        17.42
3        -43.69        12.79
4         38.40        13.31
5        -34.82         5.00
6         64.17         7.60
面番号    nd      ng       nC       nF
1        1.77250  1.79197  1.76780  1.78337 
3        1.77250  1.79197  1.76780  1.78337  
5        1.84265  1.88553  1.83328  1.86582 
7        1.80518  1.84729  1.79611  1.82777 
8        1.77250  1.79197  1.76780  1.78337 
10       1.83481  1.85955  1.82898  1.84852  
12       1.69680  1.71234  1.69297  1.70552   
15       1.88300  1.91050  1.87656  1.89822     
17       1.72000  1.73792  1.71567  1.73000       
18       1.80518  1.84729  1.79611  1.82777   
21       1.84265  1.88553  1.83328  1.86582 
22       1.49700  1.50451  1.49514  1.50123
24       1.52542  1.53541  1.52291  1.53105 
26       1.84666  1.89413  1.83649  1.87209
28       1.83400  1.86278  1.82738  1.84982
30       1.58313  1.59528  1.58013  1.58995
[数値実施例2]
単位 mm
面データ
面番号       r        d      nd         vd       
1*       379.944    2.20   1.77250    49.6       
2         20.865    9.41                         
3        109.468    1.60   1.80400    46.6       
4         36.428    0.16   1.51640    52.2       
5*        43.828    5.55                         
6       -138.103    1.60   1.83400    37.2       
7        103.586    0.14                         
8         44.921    4.50                         
9       3876.715  (可変)                         
10         58.167    1.31   1.80518    25.4       
11         24.528    5.20   1.54072    47.2       
12      -1684.072    0.15                         
13         88.456    2.54   1.80400    46.6       
14       -210.852  (可変)                         
15         67.424    3.75   1.62299    58.2       
16        -79.025  (可変)                         
17(絞り)    ∞       1.90                         
18       -154.852    1.39   1.88300    40.8       
19        106.725    2.33                         
20        -38.971    1.11   1.76200    40.1       
21         23.774    5.53   1.84666    23.9       
22       -111.504    1.23                         
23          ∞     (可変)                         
24         35.170    8.49   1.49700    81.5       
25        -21.148    1.25                         
26        -32.885    0.20                         
27        233.998    1.20   1.83400    37.2       
28         21.949    6.99   1.49700    81.5       
29       -128.560    0.20                         
30        132.180    2.90   1.58313    59.4       
31*      -164.405                          
像面        ∞   
非球面データ
第1面
K = 0.0  A 4= 1.68202e-005  A 6=-2.64620e-008  A 8= 3.51608e-011  A10=-2.93874e-014  A12= 1.05256e-017  
第5面
K = 0.0  A 4= 1.56694e-005  A 6= 1.51978e-009  A 8=-1.05420e-010  A10= 1.68304e-013  A12=-1.90500e-016  
第31面
K = 0.0  A 4= 6.82003e-006  A 6= 1.13963e-008  A 8=-1.47882e-011  A10= 3.60517e-014  
各種データ
ズーム比      2.04 
広角     中間     望遠
焦点距離      16.60    24.05    33.92  
Fナンバー      2.91     2.91     2.92  
画角          52.50    41.97    32.53  
像高          21.64    21.64    21.64  
レンズ全長   153.85   146.48   148.17
BF             39.23    47.49    58.22  
d 9           26.29    10.66     1.62  
d14            4.58     4.58     4.58  
d16            0.93     5.28    10.59  
d23            9.99     5.63     0.32  
ズームレンズ群データ
群      焦点距離  レンズ構成長  
1        -22.89        25.17         
2         62.33         9.20         
3         58.98         3.75         
4        -45.90        13.49         
5         45.55        21.23         
面番号        nd      ng       nC       nF
1      1.77249  1.79197  1.76780  1.78337 
3      1.80400  1.82570  1.79882  1.81608  
4      1.51640  1.52884  1.51343  1.52333  
6      1.83400  1.86278  1.82738  1.84982   
8      1.84265  1.88553  1.83328  1.86582 
10     1.80518  1.84729  1.79611  1.82777   
11     1.54072  1.55522  1.53730  1.54875    
13     1.80400  1.82570  1.79882  1.81608    
15     1.62299  1.63630  1.61974  1.63045     
18     1.88300  1.91050  1.87656  1.89822   
20     1.76200  1.78634  1.75639  1.77539     
21     1.84666  1.89386  1.83655  1.87193     
24      1.49700  1.50451  1.49514  1.50123    
25      1.84265  1.88553  1.83328  1.86582    
27      1.83400  1.86278  1.82738  1.84982   
28      1.49700  1.50451  1.49514  1.50123 
30      1.58313  1.59528  1.58013  1.58995   
【００６６】
【表１】
2014041222.tif 000004
以上、本発明の好ましい実施形態について説明したが、本発明はこれらの実施形態に限定されず、その要旨の範囲内で種々の変形及び変更が可能である。
【符号の説明】
【００６７】
Ｌ１：第１レンズ群
Ｌ２：第２レンズ群
Ｌ３：第３レンズ群
Ｌ４：第４レンズ群
Ｌ５：第５レンズ群
ＳＰ：開口絞り
ＳＳＰ：開放Ｆ値の開口を持ったフレアーカット絞り
ＩＰ：像面
縦収差図中、球面収差、歪曲、色収差において、
実線：ｄ線
２点鎖線：ｇ線
縦収差図中、非点収差において、
鎖線：メリディオナル像面
実線：サジタル像面
【図１】
2014041222.tif 000005
【図２】
2014041222.tif 000006
【図３】
2014041222.tif 000007
【図４】
2014041222.tif 000008
【図５】
2014041222.tif 000009
【図６】
2014041222.tif 000010